(57)【要約】【課題】ビータッチ手芸によるビーズ額絵の作成に際し、好みで額，原画，色ビーズの組み合わせを選択可能とすると共に、原画を特定せず彩色して好きな配色を楽しむようにする。【解決手段】額１と、原画２と、原画上に粘着材を介して固定する色の異なる多数の色ビーズ３の組み合わせであって、原画２が無彩色又はセピア調等の薄彩色よりなり、好みに合わせた配色で色ビーズを固定可能であるビーズ額絵材料である。なお、原画を透明フィルムに形成された透明タイプ原画とすれば色ビーズを置くことによりステンドグラス調の作品が得られる。【選択図】        図１
0003137565.tif 000002
【実用新案登録請求の範囲】
【請求項１】
額と、原画と、原画上に粘着材を介して固定する色の異なる多数の色ビーズの組み合わせであって、原画が無彩色又はセピア調等の薄彩色よりなり、好みに合わせた配色で色ビーズを固定可能であることを特徴とするビーズ額絵材料。
【請求項２】
原画が透明フィルムに形成された透明タイプ原画である請求項１記載のビーズ額絵材料。
【請求項３】
額と原画が作者の好みで選択される請求項１または２記載のビーズ額絵材料。
【考案の詳細な説明】
【技術分野】
【０００１】
本考案は原画上にビーズを並置固定し、額に嵌め込んだビーズ利用の額絵に係り、特に額，原画，ビーズの組み合わせを自分の好みで選択できると共に、好きな配色を楽しむことを可能ならしめるビーズ額絵材料に関するものである。
【背景技術】
【０００２】
原画上にビーズを並置し、仕上げて透明シートやガラスで固定して額に嵌め込み額絵とすることは、いわゆるビータッチ手芸として広く知られ、かつ行なわれている。（例えば特許文献１参照）
しかし、上記の如き従来のビータッチ手芸は、額，原画，ビーズのセット販売のみであり、原画が特定されて自分の好みでオリジナルな作品作りを楽しむことが出来ないという難点があった。
【０００３】
近年、ビータッチ手芸に対し大人が楽しめる絵柄，風景画を増やして欲しいとか、こつこつ作って完成したときの喜びが大きいとか、脳の活性化に繋げたいなどの要望が寄せられ、従来のセット販売ではなく単品販売を軸に手芸本来の楽しみである創造性を加えようとする気運が昂まり、自分の好みに合わせたビーズ額絵作りが求められて来た。
【特許文献１】実用新案登録願第３０７９２４８号公報
【考案の開示】
【考案が解決しようとする課題】
【０００４】
本考案は上述の如き要求に対応し、特に額，原画，ビーズを単品で販売することを考慮することにより自分の好みで額，原画の組み合わせを選択でき、また従来、考えられなかった無彩色あるいはセピア調の薄彩色の原画に色ビーズを置くことにより、塗り絵のように好きな配色を楽しむことを可能ならしめることを目的とするものである。
【課題を解決するための手段】
【０００５】
即ち、上記目的に適合する本考案ビーズ額絵材料は、原画と、原画を収容する額と、原画上に粘着材を介して固定する色の異なる多数の色ビーズの組み合わせであって、原画が無彩色又はセピア調の薄彩色で好みに合わせた配色で色ビーズを固定可能であることを特徴とする。なお、原画に透明タイプの絵柄を用いるときは、ステンドグラスのような効果を得られ好適である。また、額と原画も好みで自由に選択される。
【考案の効果】
【０００６】
本考案額絵材料を用いることにより使用者の好みに合わせた作品作りをすることができる。殊に無彩色又はセピア調の薄彩色の原画を用いることにより、塗り絵のように好きな配色を楽しむことが可能となり、オリジナルな作品作りを楽しむことができる。また、透明タイプ原画に色ビーズを置くことによりステンドグラスのような効果を顕出することができる効果もある。
【考案を実施するための最良の形態】
【０００７】
以下、更に添付図面を参照し、本考案の詳細を説明する。図１は（ａ）額１と、（ｂ）原画2と、（ｃ）原画上に粘着材を介して固定される色の異なる多数の色ビーズ３を示し、これら額１，原画２，色ビーズ３の組み合わせによって本考案の額絵材料が構成されており、各材料を適宜、自由に選択して組み合わせることによって  好みに合った額絵を作成するようになっている。このうち、特に本考案において重要なことは図１（ｂ）に示す原画１であり、従来のビータッチアートは予め彩色された原画に基づいて夫々の色彩に適合したビーズを並置し固定していたのを特に無彩色又はセピア調の如き薄彩色とし、この無彩色又は薄彩色の原画２に自分の好みで色ビーズ３を置いてゆくことにより、自分の好みにあったオリジナルな作品を作成し得ることである。
【０００８】
図２は原画２上に色ビーズ３を置くための用具の１態様であり、４は原画２をその上に載せるための台板、５は原画２上に配層する粘着材としての粘着シートで、透明であることが好ましく、６は色ビーズ３を原画２上に配置固定するため色ビーズ３を先端に把持するビーズペンで、先ず、選択した原画２を台板４上に載せ、その上に透明粘着シート５を配層し、その透明性，粘着性を利用してビーズペン６で色ビーズ３を順次選択し、原画に従い自分の好みに従って固定してゆき、自分の好みに応じた彩色のオリジナルな作品とする。図３はこのようにして得られた絵板７を額１内に収容した額絵Ａである。勿論、上記の用具は便宜のためで、必らずしもこれに拘束されるものではない。
【０００９】
本考案ビーズ額絵に利用する薄彩色の原画２としては、セピア調１色刷りが色ビーズ３を置いたときの効果が美しいが、必らずしもセピア調に限らず、同様な薄色彩の原画の使用も可能である。なお、透明タイプ原画の使用も好適である。透明タイプの原画の場合は、特にビーズ利用の絵に対し光の透過による美的変化を加えることにより絵部分がビーズを通して立体的に見え、しかも光の乱反射により輝いて見えるステンドグラス調のビーズ額絵を得ることができる。
【００１０】
なお、原画は複数の異なる色彩を含む花，動物などの絵柄を透明フィルムに印刷することによって形成され、好ましくは表裏少なくとも一面に粘着材が付与され、絵柄面に好みに応じた色彩の透明のガラス又は樹脂製のビーズが並置固定される。粘着層を形成する粘着材は、粘着剤又は粘着のりの使用の外、図２に示す粘着シートの使用も可能である。
【００１１】
原画の絵柄上に並置される色ビーズ３は、色の異なる多数の透明なガラス製又は樹脂製のビーズであり、その大きさは必らずしも均一である必要はなく、大小各種の色ビーズを選択し、又は混合して使用する。なお、ビーズは、絵柄部分のみでなく、それ以外の部分を含め全面に並べ固定せしめるようにしてもよい。
【００１２】
以上のようにして原画上にビーズが並置された絵板７はそのまま、又は表面側が透明なガラス板又は樹脂板により固定されて額２内に収容され本考案の額絵に構成されるが、予め原画を額内に収納した後、この原画上に粘着材を介して適宜ビーズを並置することも差し支えない。この場合、額は適宜好みに応じ選択して使用されるが、透明タイプの原画の場合は額背面側の厚紙は使用することなく、あるいは絵板を透明なガラス板又は樹脂板で挟み込み固定して額に収納することにより光を透過し、ステンドグラス調のビーズ額絵Ａを得ることができる。
【００１３】
かくて本考案は額，原画，ビーズの各単品を自分の好みで適宜、選択して組み合わせることにより自分の好きな配色を楽しむことができる。また、粘着シートを用い、写真等に粘着加工をしてオリジナルな原画を作ることも可能となり、ビータッチアートの作品の拡がりも期待できる。
【図面の簡単な説明】
【００１４】
【図１】本考案に係る構成材料を示し、（ａ）は額、（ｂ）は原画、（ｃ）は各種色ビーズである。
【図２】本考案材料を使用し額絵を作成するときの用具の1例であり、 （ａ）は台板、（ｂ）は粘着シート、（ｃ）はビーズペンである。
【図３】本考案により作られた額絵である。
【符号の説明】
【００１５】
Ａ：額絵
１：額
２：原画
３：色ビーズ
７：絵板
【図１】
0003137565.tif 000003
【図２】
0003137565.tif 000004
【図３】
0003137565.tif 000005